(57)【特許請求の範囲】
【請求項１】
写真フィルムを巻き回して得られるロール体を、同ロール体の外周面との接当を介して格納するベルト部材を有し、前記ロール体は、軸芯を固定された一対の回転ローラによって、前記ベルト部材を介して回転操作可能に支持されており、これによって、前記ロール体は、写真フィルムの出し入れに基づく前記ロール体の外径変化に拘わらず常に前記一対の回転ローラと接し、さらに、前記ロール体の外径に拘わらず前記ベルト部材に張力を保持するためのテンションプーリが回転自在に設けられており、前記格納された写真フィルムに蓄積される静電気を逃がす除電手段を備えているフィルムマガジンであって、
前記ベルト部材の少なくとも写真フィルム接当面は導電部によって構成されており、前記除電手段は、前記写真フィルムに蓄積される静電気を前記導電部を介して外部に放電する放電手段からなり、前記放電手段が、導電性材料で形成された前記テンションプーリによって構成されているフィルムマガジン。
【請求項２】
写真フィルムを巻き回して得られるロール体を、同ロール体の外周面との接当を介して格納するベルト部材を有し、前記ロール体は、軸芯を固定された一対の回転ローラによって、前記ベルト部材を介して回転操作可能に支持されており、これによって、前記ロール体は、写真フィルムの出し入れに基づく前記ロール体の外径変化に拘わらず常に前記一対の回転ローラと接し、さらに、前記ロール体の外径に拘わらず前記ベルト部材に張力を保持するためのテンションプーリが回転自在に設けられており、前記格納された写真フィルムに蓄積される静電気を逃がす除電手段を備えているフィルムマガジンであって、
前記ベルト部材の少なくとも写真フィルム接当面は導電部によって構成されており、前記除電手段は、前記写真フィルムに蓄積される静電気を前記導電部を介して外部に放電する放電手段とからなり、前記放電手段は、前記ベルト部材の前記導電部と接当可能なように前記テンションプーリの周面に形成された放電シートによって構成されているフィルムマガジン。
【請求項３】
前記放電シートは、導電性繊維を含有する放電紙である請求項２に記載のフィルムマガジン。
【請求項４】
前記ベルト部材の全体が、導電性カーボンを添加したゴム材料によって形成された前記導電部である請求項１から３のいずれか一項に記載のフィルムマガジン。
【請求項５】
前記ベルト部材は、任意の材料で形成されたベルト本体と、前記ベルト本体の全長にわたって写真フィルム接当面として貼り付けられた前記導電層とからなる請求項１から３のいずれか一項に記載のフィルムマガジン。
【請求項６】
前記導電層が放電性シートで構成されており、この放電性シートが、前記導電部と前記放電手段を兼ねている請求項１から３のいずれか一項に記載のフィルムマガジン。
【発明の詳細な説明】
【０００１】
【発明の属する技術分野】
本発明は、写真フィルムを取出し可能に格納するためのフィルムマガジンに関する。
【０００２】
【従来の技術】
この種のフィルムマガジンとしては、特開平７−６４１９９号公報に記載されたフィルム連続供給装置が知られている。このフィルム連続供給装置では、図１４に示されるように、支持軸２１２上に回転自在に支持されたコア２１４と、コア２１４の外周を内側に向かって押し付ける４個のローラ部材２１６とがケース部材２１０内に設けられており、ケース部材２１０の一角に設けられた送りローラ２２０によって、フィルムをコア２１４とローラ部材２１６の間に送り込むことによって、やはり、互いにスプライスされていない複数のフィルムでも、フィルムの断続部で互いに重ね合わせて格納するという手法をとることによって、出し入れすることができる。そして、この従来の構成では、長尺の格納用テープなどを用いずに、フィルムどうしをロール状に巻き回して格納するので、よりコンパクトなフィルムマガジン内に比較的大量の駒数の写真フィルムを格納できて都合が良い。
また、上記のフィルムマガジンの別の従来例として、特開昭５６−４２２２７号公報に記載された写真焼付用カートリッジが知られている。この写真焼付用カートリッジでは、図１５−イ、ロに示すように、コア２０１によって一定方向に巻取られる長尺の格納用テープ２０３が形成するテープロール２０６の間に複数のピースフィルムＰＮを、スプライスすることなく順次挟み込んで格納し、また、格納されていたピースフィルムＰＮを、巻取られた格納用テープ２０３を巻戻すことによって順次抽出しては、プリンタ装置の露光部まで搬送し、印画紙に焼き付けすることができる。すなわち、多数のピースフィルムＰＮを、スプライスで接続するまでもなく、ばらばらの状態で格納用テープ２０３の間に格納することができ、しかも、排出時のフィルムの順序は、格納時と全く逆の順番が守られるという利点がある。
【０００３】
【発明が解決しようとする課題】
しかしながら、上記の特開平７−６４１９９号公報に記載されたフィルム連続供給装置では、ピースフィルムどうしが面で接触しながらフィルムマガジン内にロールを形成するため、ピースフィルムに静電気が蓄積され易く、この静電気によってピースフィルムどうしが引き寄せ合う傾向があった。したがって、フィルムマガジンからフィルムを引き出すために支持軸２１２をフィルム巻き戻し方向に回転駆動しても、フィルムの先端が下層側のフィルムの表面に付着してしまって、排出され難い場合があり、改善の余地があった。
【０００４】
また、上記の特開昭５６−４２２２７号公報に記載された写真焼付用カートリッジでも、やはり、格納されたフィルムが静電気によって格納用テープ２０３に付着して排出され難い場合があり、改善の余地があった。
【０００５】
したがって、本発明の目的は、上に例示した従来技術によるフィルムマガジンの持つ前述した欠点に鑑み、ピースフィルムどうしが面で接触しながらフィルムマガジン内にロールを形成するために比較的大量のネガフィルムをコンパクトな空間に格納でき、しかも、ピースフィルムに蓄積された静電気に起因してフィルムの排出に支障を来し難いフィルムマガジンを提供することにある。
【０００６】
【課題を解決するための手段】
上記目的を達成するために、本発明の請求項１によるフィルムマガジンは、
写真フィルムを巻き回して得られるロール体を、同ロール体の外周面との接当を介して格納するベルト部材を有し、ロール体は、軸芯を固定された一対の回転ローラによって、ベルト部材を介して回転操作可能に支持されており、これによって、ロール体は、写真フィルムの出し入れに基づくロール体の外径変化に拘わらず常に一対の回転ローラと接し、さらに、ロール体の外径に拘わらずベルト部材に張力を保持するためのテンションプーリが回転自在に設けられており、格納された写真フィルムに蓄積される静電気を逃がす除電手段を備えているフィルムマガジンであって、
ベルト部材の少なくとも写真フィルム接当面は導電部によって構成されており、除電手段は、写真フィルムに蓄積される静電気を導電部を介して外部に放電する放電手段からなり、放電手段が、導電性材料で形成されたテンションプーリによって構成されていることを特徴構成としている。
【０００７】
このような特徴構成を備えているために、本発明の請求項１によるフィルムマガジンでは、フィルムどうしの摩擦などによってフィルムに静電気が発生しても、全てのフィルムは一端ベルト部材に押し付けられた後で排出される構成になっているので（押し付け作用時に、単なる接触に比して効果的な放電が行われる）、写真フィルムは蓄積された静電気の量が少なくとも減少した状態で排出される。したがって、写真フィルムどうし、或いは、写真フィルムと他の部材との静電気による付着が解消され若しくは減少し、写真フィルムのフィルムマガジンからの排出が円滑に行われるようになった。また、静電気をベルト部材を介して逃がす構成をとっているので、写真フィルムに除電ブラシを直接触れさせるなどの構成に比して、写真フィルムの画像部を物理的に損傷する懸念が少ない。因みに、金属など導電性の材料で形成したドラム部材をロール体の芯材として用いる方法が考えられるが、フィルムがこの芯材上に何重にも重ねられて格納される場合、これら上層に位置するフィルムは芯材から大きく隔てられているので、効果的な除電方法にはなり得ないと考えられる。
【０００８】
さらに、本発明の請求項１によるフィルムマガジンでは、ベルト部材の少なくとも写真フィルム接当面は導電部によって構成されており、除電手段は、写真フィルムに蓄積される静電気を導電部を介して外部に放電する放電手段からなり、放電手段が、導電性材料で形成されたテンションプーリによって構成されているので、フィルムに静電気が発生しても、排出される前に一端はベルト部材の導電部に押し付けられ（押し付け作用時に、単なる接触に比して効果的な放電が行われる）、この時に、ベルト部材側に放電される。しかも、ベルト部材の表面は、導電性のテンションプーリとの定期的な接触によって、常に一定量以下の帯電量に維持されているので、フィルムからベルト部材への放電が効果的に行われる。結果的に、静電気はベルト部材からテンションプーリを通って（さらに、例えばフィルムマガジンの函体等を介して）フィルムマガジンの外部に放電される。
【０００９】
また、上記目的を達成するために、本発明の請求項２によるフィルムマガジンは、
写真フィルムを巻き回して得られるロール体を、同ロール体の外周面との接当を介して格納するベルト部材を有し、ロール体は、軸芯を固定された一対の回転ローラによって、ベルト部材を介して回転操作可能に支持されており、これによって、ロール体は、写真フィルムの出し入れに基づくロール体の外径変化に拘わらず常に一対の回転ローラと接し、さらに、ロール体の外径に拘わらずベルト部材に張力を保持するためのテンションプーリが回転自在に設けられており、格納された写真フィルムに蓄積される静電気を逃がす除電手段を備えているフィルムマガジンであって、
ベルト部材の少なくとも写真フィルム接当面は導電部によって構成されており、除電手段は、写真フィルムに蓄積される静電気を導電部を介して外部に放電する放電手段とからなり、放電手段は、ベルト部材の導電部と接当可能なようにテンションプーリの周面に形成された放電シートによって構成されていることを特徴とする。
【００１０】
このような特徴構成を備えているために、本発明の請求項２によるフィルムマガジンでは、フィルムどうしの摩擦などによってフィルムに静電気が発生しても、全てのフィルムは一端ベルト部材に押し付けられた後で排出される構成になっているので（押し付け作用時に、単なる接触に比して効果的な放電が行われる）、写真フィルムは蓄積された静電気の量が少なくとも減少した状態で排出される。したがって、写真フィルムどうし、或いは、写真フィルムと他の部材との静電気による付着が解消され若しくは減少し、写真フィルムのフィルムマガジンからの排出が円滑に行われるようになった。また、静電気をベルト部材を介して逃がす構成をとっているので、写真フィルムに除電ブラシを直接触れさせるなどの構成に比して、写真フィルムの画像部を物理的に損傷する懸念が少ない。
【００１１】
さらに、本発明の請求項２によるフィルムマガジンでは、ベルト部材の少なくとも写真フィルム接当面は導電部によって構成されており、放電手段は、ベルト部材の導電部と接当可能なようにテンションプーリの周面に形成された放電シートによって構成されているので、ベルト部材のフィルム接触面の全ての領域はテンションプーリの周面と定期的に押し付けられ、この時に、ベルト部材に帯電されている静電荷はテンションプーリ上の放電シートに一旦移動してここから効果的に空中に放電されるので（押し付け作用時に、単なる接触に比して効果的な移動が行われる）、ベルト部材の表面は、導電性のテンションプーリとの定期的な接触によって、常に一定量以下の帯電量に維持されており、結果的に、フィルムからベルト部材への静電気の移動（放電）が効果的に行われる。
【００１２】
ここで放電シートとは、ごく小径の有機導電性繊維と通常の繊維との混在物がシート状に形成されたものを指す。特に、有機導電性繊維がセルロース繊維と一緒に漉き合わせた放電紙、或いは、有機導電性繊維を通常の有機繊維と共にプラスチックシートの片面側に接着剤などで貼着したものが知られている。
【００１３】
放電シートによって静電気の放電を起こさせる機構の説明の一例としては、次の機構が提案されている。先ず、有機導電性繊維は極めて小径なので、繊維を包囲する電気力線の密度が非常に高くなって、空気の絶縁破壊（コロナ放電）が起こる。次に、前記コロナ放電によって発生した電子や空気のプラスイオンが、前記電気力線を介して、静電気の帯電物に移動して静電気の電気的中和が成立する。
【００１４】
特に、放電シートとしては、導電性繊維を含有する放電紙を用いれば、所望の寸法への裁断や各部材での貼着（両面粘着テープや接着剤などによる接着が利用できる）が容易にできて都合が良い。
【００１５】
或いは、例えば、ベルト部材の全体を、導電性カーボンを添加したゴム材料によって形成された導電部としても良い。ベルト部材の一部を導電部とした場合に比して静電気を逃がす効果がより高まり易い。
【００１６】
或いは、ベルト部材を、任意の材料で形成されたベルト本体と、ベルト本体の全長にわたって写真フィルム接当面として貼り付けられた導電層で構成しても良い。このように構成すれば、ベルト本体には、必ずしも導電性を持たせる必要がないので、より耐久性の高い材料を自由に選択して採用することができる。
【００１７】
或いは、また、ベルト部材の写真フィルム接当面を放電性シートで形成し、この放電性シートが、導電部と放電手段を兼ねている構成としても良い。この場合、フィルムに静電気が発生しても、フィルムマガジンから排出される前に一端はベルト部材上の放電性シートに押し付けられるので、この時に、静電気は放電シートから空中に放電される（押し付け作用時に、単なる接触に比して効果的な静電荷の移動が行われる）。
【００１８】
本発明によるその他の特徴および利点は、以下図面を用いた実施形態の説明により明らかになるであろう。
【００１９】
【発明の実施の形態】
本発明のフィルムマガジンの実施形態の一例について図面に基づいて解説する。このフィルムマガジンは、スプライスされていない個々に独立した状態の多数のピースフィルム（写真フィルムの一例）を順番に格納し、また格納した時と逆の順序で排出することができる。
【００２０】
図１に示されたフィルムマガジン１は、図５、６に示されるように、平滑度の高い内側面４ｉ，４ｉを備えたステンレス鋼など金属製のケース部材４を備えている。内側面４ｉ，４ｉどうしは３５ｍｍフィルムのピースフィルム２より僅かに広い幅をもって離間しており、両内側面４ｉ，４ｉの間には、外部からの回転駆動力で回転操作可能な駆動ローラとしてのタイミングプーリ６と、回転軸芯を水平向きに固定されたタイミングプーリ８，１０ａ，１０ｂ，１０ｃ，１０ｄ，１０ｅ，１０ｆが回転自在に支持されている。
さらに、両内側面４ｉ，４ｉの間には、合成樹脂製で円筒状のコア４０が、回転自在、軸芯移動自在に収納されている。コア４０の幅寸法は、内側面４ｉ，４ｉ内で自由に、しかも「がたつき」のない状態で移動および回転できるように決められている。尚、コア４０は、後述する要領にて、ケース部材４から取り出し自在に構成されている。
【００２１】
また、ケース部材４内には、一対のゴム製の無端のタイミングベルト３０が設けられており、その一端はコア４０の外周に巻き回され、タイミングベルト３０の残りの部分は、タイミングプーリ６，８の間を通過した後、軸芯がケース部材４に固定されたタイミングプーリ１０ａ，１０ｂ，１０ｃ，１０ｄ，１０ｅ，１０ｆの外周に巻き回されている。そして、ケース部材４内には、タイミングベルト３０に一定量以上の張力を加えるためのテンションプーリ１６，１７が設けられているので、コア４０は、タイミングベルト３０によって常にタイミングプーリ６，８の側に引き寄せられている。言い換えれば、タイミングプーリ６，８は、コア４０（または、後述する要領でコア４０上に形成されるフィルムのロール体）を、タイミングベルト３０を介して支持する一対の回転部材を構成しており、その結果、コア４０上に巻き付けられるフィルムの量に拘わらず、常に安定してコア４０または前記ロール体をケース部材４内にて保持できる。
尚、図１に示されるように、タイミングベルト３０は、格納される写真フィルムを主にそのパーフォレーション部でコア４０の軸芯方向に押し付ける２本のベルト部材３０ａ，３０ｂからなる。ベルト部材３０ａ，３０ｂは、無端状で約５ｍｍ前後の幅（ピースフィルム２のパーフォレーション部の幅にほぼ対応している）を持つ。また図２に示されるように、ベルト部材３０ａ，３０ｂは、ベルト本体３１と、このベルト本体３１の全長にわたって一体的に貼り合わされた導電層３２とからなる。ベルト本体３１は、全体がウレタンゴム等で形成された、駆動力を受けるための部位であり、その一方の周面には、各タイミングプーリ６，８，１０ａ，１０ｂ，１０ｃ，１０ｄ，１０ｅ，１０ｆの歯部と噛合可能な歯が等間隔で連続的に形成されている。他方、導電層３２は、アセチレンブラックなどの導電性カーボンを十分に分散された状態で含有するウレタンゴム等で形成されており、格納されるピースフィルム２を密着保持できるように基本的に平坦な形状を持つ。
【００２２】
この実施形態においては、図１に最も良く示されるように、テンションプーリ１６，１７は、２本のタイミングベルト３０ａ，３０ｂ毎に独立して設けられている。すなわち、図１の左側に示されるタイミングベルト３０ａに張力を与える１６Ｌ，１７Ｌ、および、図１の右側に示されるタイミングベルト３０ｂに張力を与える１６Ｒ，１７Ｒである。テンションプーリ１６，１７を位置変更可能に支持する支持部材としてのテンションアーム１２もまた、２本のタイミングベルト３０ａ，３０ｂ毎に独立して設けられている。すなわち、ケース部材４に対して互いに独立して揺動可能な左右一対のテンションアーム１２Ｌ，１２Ｒが設けられており、左側のテンションプーリ１６Ｌ，１７Ｌは、テンションアーム１２Ｌ上に、右側のテンションプーリ１６Ｒ，１７Ｒは、テンションアーム１２Ｒ上に、それぞれ回転自在に支持されている。テンションアーム１２Ｌ，１２Ｒはステンレス鋼などの剛性材料で形成されている。
【００２３】
そして、左右のテンションプーリ１６，１７の外周の全体には、粘着層を介して放電紙１８が貼着されている。放電紙１８は、通常のセルロース繊維の間に少量の有機導電性繊維を漉き込んで形成した紙である。この有機導電性繊維は、有機繊維の表面にメッキや真空蒸着で銅などの導電性の高い金属を被覆する方法、或いは、染色技法を用いてアクリル繊維に硫化銅を浸潤させ、後にこの硫化銅を金属化させる方法等で作成された柔軟な繊維材料であり、これを数％の割合で漉き込んで得られる放電紙１８もまた、通常の紙と同程度の高い柔軟性を備えたシート状の材料である。
【００２４】
各テンションアーム１２Ｌ，１２Ｒは、ケース部材４上に軸芯１２ａ周りで揺動可能に設けられており、付勢機構によって、常にテンションアーム１２Ｌ，１２Ｒの遊端がタイミングプーリ６，８に接近する姿勢に付勢されている。前記付勢機構は、ケース部材４外に回転自在に但し軸芯位置移動不能に設けられたプーリ２４Ｌ，２４Ｒと、一端がテンションアーム１２Ｌ，１２Ｒの中間位置に設けられたピン１２ｂに固定されプーリ２４に巻き回されたワイヤロープ２５Ｌ，２５Ｒと、ワイヤロープ２５の他端を、タイミングプーリ６，８から引き離すように引っ張るために一端をケース部材４上に固定されたコイルバネ２６Ｌ，２６Ｒからなる。
このように、タイミングベルト３０ａ，３０ｂに掛かる張力を所定量以上に保持するためのテンションプーリと、テンションプーリを支持するための変位可能な支持部材としてのテンションアームと、テンションアームの姿勢をロール体の外径に拘わらずタイミングベルト３０ａ，３０ｂに掛かる張力が保持されるように付勢する付勢機構とが、二本のタイミングベルト３０ａ，３０ｂの個々に対応して独立して設けられているので、何らかの原因でタイミングベルト３０ａ，３０ｂの片方が伸びてしまう等、二本のタイミングベルト３０ａ，３０ｂどうしの間に或程度の長さの相違が生じても、タイミングベルト３０ａ，３０ｂには所定量以上の張力が維持されるので、伸びた方のタイミングベルト３０が、駆動ローラとしてのタイミングプーリ６上を空回りする等の誤動作が防止される。
【００２５】
図２、６および７に示されるように、駆動ローラとしてのタイミングプーリ６は、これと同心状に支持されたギヤ７と一体的に回転するように設けられており、そして、ギヤ７と噛み合うようにフィルム巻き取り装置またはプリンタプロセッサー側に設けられ、図示されないステップモータなどで回転駆動される駆動ギヤ５０によって回転制御可能となっている。タイミングプーリ６が外力で図２の矢印向きに回転操作されると、タイミングベルト３０と、タイミングベルト３０の一部に内接したコア４０も、各々矢印の方向に回動される。
一対のタイミングプーリ６，８の間には、平滑な面を持った一対のフィルムガイド４５がフィルム出入口として水平に設けられている。
そこで、タイミングプーリ６ならびにタイミングベルト３０を、図２の矢印の方向に回転させながら、フィルムガイド４５からピースフィルム２などをタイミングプーリ６向きに挿入すると、ピースフィルム２の先端は、タイミングプーリ６上のタイミングベルト３０とコア４０との間に挟持されつつ、先ず、タイミングプーリ６とコア４０の接線方向に引き取られ、次に、ピースフィルム２の全体がコア４０の外周上に巻き付けられて行く、言い換えれば、コア４０の外周面とコア４０上に巻き付けられているタイミングベルト３０との間に収納されて行く。
【００２６】
さらに、多数のピースフィルム２が次々に挿入されると、これらも全て、同様に、コア４０とタイミングベルト３０との間に収納できる。以上の操作によって、図７に示されるように、コア４０の外周上には、（タイミングプーリ６の回転操作により、コア４０とタイミングベルト３０の間に挟まれたロール体ＲＭも、タイミングベルト３０を介して回動されるので）多数のピースフィルム２からなるロール体ＲＭが形成されるが、このロール体ＲＭ内では、常に、最初に挿入したピースフィルム２（ロール体ＲＭの最も内側に位置し、コア４０に接している）に始まり、最後に挿入したピースフィルム（ロール体ＲＭの最も外側に位置し、タイミングベルト３０に接している）に至るまで、その挿入した際の順番が全て維持されている。
そして、格納されているピースフィルムを引き出す際には、タイミングプーリ６を図２の矢印と逆方向に回転操作すれば良い。コア４０とタイミングベルト３０の間に挟まれたロール体ＲＭも、タイミングベルト３０を介して回動されるので、ロール体ＲＭを形成している複数のピースフィルム２が、格納時と逆の順序でフィルムガイド４５から排出される。この時、ピースフィルム２は必ずタイミングベルト３０の導電層３２に押し付けられた後で排出されるので、仮にロール体ＲＭの内部でのフィルムどうしの若干の摩擦等からピースフィルムが静電気を帯電していても、この静電気はタイミングベルト３０の導電層３２への押し付けられる際にその大部分が導電層３２に移動して、ピースフィルムの帯電状態は効果的に弱められる。一方、ピースフィルムから静電荷を受け取ったタイミングベルト３０の導電層３２の方は、テンションプーリ１６，１７の外周に貼着されている放電紙１８に定期的に押し付けられ、この押し付け時に放電紙１８を介して空中に放電される。
尚、ロール体ＲＭからのピースフィルム２の排出の際に、後続するピースフィルム２の先端がフィルムガイド４５の開口部に進入せずに、ロール体ＲＭの外周に貼り付いたまま、再びベルト部材３０の内周面に挟まれる事態（この現象の原因としては、本発明の除電手段によって排除し切れなかった弱い静電気の他に、ロール体ＲＭを形成している間にピースフィルム２に生じる巻き癖が考えられる）を防止するために、格納時には、図２と３に示されるように、後続して格納するピースフィルムの端部が先に格納したピースフィルムの端部の内周側に入り込むように、ピースフィルム２の端部どうしを数ｍｍの長さでオーバーラップさせた状態で（後から格納するピースフィルム２の先端が、先に格納したピースフィルム２の後端の下に入り込むような重ね合わせ方で）格納すれば良い。このような要領で格納すれば、排出時には、後から格納したピースフィルム２が排出完了される直前に、先に格納したピースフィルムの先端をロール体ＲＭの外周から引き離してフィルムガイド４５まで案内することができる。
【００２７】
以上から理解されるように、一対のタイミングプーリ６，８は、写真フィルムを巻き回して得られるロール体ＲＭを常にフィルムガイド４５近傍に保持し、同時に、ロール体ＲＭを回転駆動する機能を果たしている。
また、常にロール体ＲＭが、一対のタイミングプーリ６，８に押し付けられている構成であるので、言い換えれば、一対のタイミングプーリ６，８は、コア４０またはロール体ＲＭを、タイミングプーリ６とコア４０が作る接線またはタイミングプーリ６とロール体ＲＭとが作る接線の方向が、フィルムガイド４５の案内方向とほぼ一致する姿勢で保持することができる。したがって、格納するフィルムの全長に応じてロール体ＲＭの外径が変化しても、マガジンのフィルム出入口におけるフィルムの姿勢、すなわち、フィルム通過経路としてのフィルムガイド４５からフィルムが進入する角度ならびにフィルムガイド４５へ排出される角度は変化せず、スムースなフィルムの出し入れが確保される。
さらに、コア４０とタイミングベルト３０の間に挟まれたフィルムのロール体ＲＭは、格納するフィルムの全長に応じて変化するフィルムロールの外径に拘わらず、また、ロール体ＲＭの外形の真円度が低い場合でも、その外周からタイミングベルト３０によって常に求心的に押し付けられているので、フィルムをマガジン内で安定して保持可能な上に、できたフィルムのロールの形状を保持するためにローラ部材などで直に押さえ付けることがないので、フィルムをマガジンに対して出し入れする際に、フィルムマガジン側とフィルムとの間に摩擦を生じる可能性が少ない。
そして、形成されるフィルムのロール体ＲＭを同ロールＲＭの外周側からの力で転がすことによって格納するので、スプールが外力で強制的に回転駆動され、そのスプールの外周にフィルムが巻き付けられる構成に比して、スプールによってフィルムが内側から絞られて、フィルムの面どうしの間に摩擦を伴う周方向の「ずれ」が生じ難い。
また、タイミングベルト３０の回転駆動を介してロール体ＲＭを回転駆動するので、スプールが外力で強制的に回転駆動され、そのスプールの外周にフィルムが巻き付けられる構成と異なり、タイミングベルト３０の駆動速度さえ一定にすれば、形成されたロール体ＲＭの外径の変化に拘わらず、フィルムマガジン内に進入するフィルムのフィルムガイド４５付近における速度、および、フィルムマガジン内から引き出されるフィルムのフィルムガイド４５付近における速度は一定となる。
【００２８】
この実施形態では、タイミングプーリ６ならびにタイミングベルト３０によってロール体ＲＭの回転操作が開始される瞬間および停止される瞬間などに、コア４０またはロール体ＲＭが自重に基づいて起こすふらつき又は揺れの現象は、ロール体ガイド機構によって抑制されている。
前記ロール体ガイド機構は、コア４０の中心に固定された金属製の軸部材４０ｓと、ケース部材４の内側に設けられた一対のガイド溝６０，６０からなる。軸部材４０ｓは、コア４０の両側面から数ｍｍずつ突出するように、コア４０の幅よりも長めに設定されており、一対のガイド溝６０，６０は、この軸部材４０ｓの突出した部位を収納することによって、コア４０の移動方向を図７の矢印で示した直線方向のみに規制する。
【００２９】
図８（イ）に示されるように、ケース部材４は、タイミングプーリ６を支持する上部ケース４ａと、タイミングプーリ８を支持する下部ケース４ｂとに分離形成されており、上部ケース４ａは、図８（ロ）に示されるように、下部ケース４ｂに設けられた軸芯Ｘ回りで下部ケース４ｂに対して揺動可能である。
そして、下部ケース４ｂには、樹脂製のガイド溝形成部材６０ａ，６０ａが取り付けられており、このガイド溝形成部材６０ａ，６０ａの各対向面に前述した一対のガイド溝６０，６０が形成されている。ガイド溝６０，６０は、タイミングプーリ６とタイミングプーリ８の各軸芯どうしを結ぶ線分に対してほぼ直角に交差するように、フィルムガイド４５から最も離間した第１端部６０ｃからフィルムガイド４５に最も近接した第２端部６０ｄまで、直線状に延びている。
第１端部６０ｃは、コア４０の軸部材４０ｓをガイド溝６０，６０内に受け入れるための開口部となっており、第１端部６０ｃには、コア４０の軸部材４０ｓの出し入れを容易にするための案内面６０ｅが形成されている。そこで、上部ケース４ａを下部ケース４ｂに対して揺動させて図８（ロ）や図９のように開いた上で、コア４０の軸部材４０ｓをガイド溝６０，６０内に挿入すると、テンションアーム１２Ｌ，１２Ｒ等からなる前記付勢機構とタイミングベルト３０の張力の作用で、コア４０は、ガイド溝６０，６０の第２端部６０ｄ側に付勢される。ガイド溝６０，６０の第２端部６０ｄは閉じられているので、上部ケース４ａを下部ケース４ｂに対して揺動させて開いた際に、上記付勢力によってフィルムマガジン１外に飛び出さない。
【００３０】
因みに、ガイド溝６０，６０の長さ、言い換えれば、第１端部６０ｃと第２端部６０ｄの位置は、図８（イ）に示されたような、全くフィルムが巻き付けられていない状態のコア４０が、タイミングプーリ６とタイミングプーリ８の双方に十分に接近してこれらのプーリと接線を形成可能となることを、閉じられた第２端部６０ｄが阻害しないように、そして、図７に示されたような、フィルムが最大量まで巻き付けられた状態のコア４０が、第１端部６０ｃを介してガイド溝６０，６０から逸脱することのないように決められている。
コア４０をフィルムマガジン１内にセットする際には、先ず、上部ケース４ａを下部ケース４ｂに対して揺動させて開き、コア４０を、その外周の一部に一対のタイミングベルト３０ａ，３０ｂを巻き掛けながらガイド溝６０，６０内に挿入し、上部ケース４ａを下部ケース４ｂに対して逆向きに揺動させて閉じれば良い。この閉鎖操作によって、ガイド溝形成部材６０ａ，６０ａは上部ケース４ａの内側に挿入されるように構成されている。
尚、下部ケース４ｂの、ガイド溝形成部材６０ａ，６０ａの各外側に相当する位置からは、ノブ７０を回転可能に支持するノブ支持板７０ａが延びており、上部ケース４ａを下部ケース４ｂに対して閉じた後は、下部ケース４ｂの両側面に設けられたノブ７０を手動で時計回りに回転操作すれば、上部ケース４ａ側に形成された薄い入り江状の係合凹部７２が、ノブ７０のネック部とノブ支持板７０ａの間で締め付けられて、上部ケース４ａと下部ケース４ｂとは閉じられた状態でロックされる。ノブ７０と係合凹部７２からなるこのロック機構は、フィルムマガジン１の両側面に設けられている。
【００３１】
タイミングプーリ８、１０ａ，１０ｂ，１０ｃ，１０ｄ，１０ｅ，１０ｆ，１６，１７は、その名称の通り、タイミングベルト３０の内面に形成されたラック状の歯と係合する歯を備えているが、これらのタイミングプーリ、すなわち、駆動ローラとしてのタイミングプーリ６を除く全てのタイミングプーリはいずれも、図６に例示されたタイミングプーリ１０ｆに代表されるように、左右のタイミングプーリは互いに回転自在に、すなわち具体的にはボールベアリング１０Ｐを介して、軸１０Ｓ上に支持されている。したがって、コア４０をフィルムマガジン１０１に対して着脱する際などに、タイミングベルト３０の内面の歯とこれらのタイミングプーリの間で歯飛びが生じても、タイミングベルト３０の中途部分に局部的な延び縮みが維持されることはない。
尚、説明上の便宜のために、図１では、ケース部材を二点鎖線で、ケース部材上に設けられた各構成部品を実線で記し、図２および図５から図７については、これらの全てを原則的に実線で記し、これらを更に覆うポリカーボネート等の透明樹脂製のカバー部材８０を二点鎖線で記している。また、図８と９については、カバー部材８０が示す外形を実線で示している。
【００３２】
〔別の実施形態〕
＜１＞上記の実施形態では、放電紙をテンションプーリの周面に設けてある。しかし、放電紙は、静電気を強く帯電した物体に近接（数ｃｍ〜１０数ｃｍのオーダーと思われる）させるだけでもその静電気を空中に放電させる機能を持っているので、静電気を帯びた対象部材から放電紙を用いて放電するためには、必ずしも放電紙は対象部材と接触する必要はない。図１０と図１１に例示される実施形態では、放電紙１９が、ベルト部材の駆動経路に相当する位置に、ベルト部材とは接触しない状態（ベルト部材と放電紙１９の間の間隔は１ｃｍ前後）で、そして、ベルト部材３０の導電層３２に面するように粘着層によって貼着されている。より具体的には、約５ｃｍの長さの一対の長尺の放電紙１９が、２本のベルト部材３０の各導電層３２に対向し、ベルト部材３０の長手方向に沿うように、ケース体４の内面に貼着されている。放電紙１９の幅は、ベルト部材３０の同様の５ｍｍ程度となっている。また、２枚の放電紙１９，１９の間に相当するケース体４の位置には、空気の絶縁破壊（コロナ放電）が生じ易いように、開口部２０が形成されている。
【００３３】
＜２＞また、テンションプーリに放電紙を貼着するのではなく、テンションプーリの周面を含めた全体を、ベルト部材の導電部に対する接地手段として、導電性材料（特に、鉄、アルミニウム、銅などの金属製が導電性の高さから好適）で形成し、ベルト部材に帯電された静電気を、この金属製のテンションプーリを介して地上などに逃がす構成としても良い。
【００３４】
＜３＞ベルト部材の導電部に対する接地手段として、図１２と図１３に示されるように、ケース体４の内面に導電性のブラシ２１（例えばカーボン繊維製のブラシ）を、ブラシ２１の遊端がベルト部材の導電部と常に接触するように設けて、ベルト部材に帯電された静電気を、この導電性のブラシを介して地上などに逃がす構成としても良い。図１２と図１３の例では、ブラシ２１の遊端はベルト部材３０の導電部３２のみでなくベルト本体３１にも接触するように設けられている。
【００３５】
＜４＞或いは、ベルト本体を通常のウレタンで形成し、このベルト本体の全長にわたって貼着された導電層として放電紙を採用しても良い。この場合、貼着された放電紙は、導電部と放電部を兼務することになり、格納されているフィルムに静電気が発生しても、このフィルムが排出される際に、ベルト部材に貼着された放電紙に押し付けられるので、この時、静電気は、この放電紙を介して空中に放電される。
【００３６】
＜５＞上記の実施形態では、ベルト部材のフィルム接当面のみが導電性を持っているが、ベルト部材の全体を導電性カーボンを含むウレタンで形成するなど、ベルト部材の全体に導電性を持たせても良い。
【００３７】
＜６＞図２および図３で、タイミングプーリ８の近傍に、ベルト部材３０の導電層３２に押し付けられるように配置されたプーリ１１を、外周面を含めた全体を鉄などの導電性の金属製とし、これを放電手段としても良い。この場合、写真フィルム２が保有する静電荷は、ベルト部材３０の導電層３２内に流れ、次に、プーリ１１から金属製のケース部材４を介して地上などに逃げる構成としても良い。
【００３８】
＜７＞以上の各実施形態では、説明の便宜上、多数のピースフィルムをスプライステープで連結することなくフィルムマガジンに格納するという使用方法にしたがって解説したが、同様の多数のピースフィルムを長尺状にスプライスした状態で格納することも可能である。また、格納する写真フィルムは、ピースフィルムに限らず２４駒や３６駒などの切断前の長尺の写真フィルム（スプライスしても、していなくても良い）でも同様に格納できることは言うまでもない。
【図面の簡単な説明】
【図１】本発明によるフィルムマガジンを示す斜視図
【図２】図１のフィルムマガジンの側面図
【図３】図１のフィルムマガジンの要部の拡大図
【図４】図１のフィルムマガジンに用いられるベルト部材の一部破断斜視図
【図５】図１のフィルムマガジンの背面図
【図６】図１のフィルムマガジンの平面図
【図７】図１に対応する別の状態におけるフィルムマガジンの側面図
【図８】図１のフィルムマガジンの開閉操作を示す側面図
【図９】コアの出し入れを説明する側面図
【図１０】フィルムマガジンの別実施形態を示す側面図
【図１１】図１０のフィルムマガジンの要部の斜視図
【図１２】フィルムマガジンのさらに別の実施形態を示す側面図
【図１３】図１２のフィルムマガジンの要部の斜視図
【図１４】フィルムマガジンの従来例を示す斜視図
【図１５】フィルムマガジンのもう一つの従来例を示す斜視図
【符号の説明】
２      フィルム
４      ケース体
６，８  タイミングプーリ
１０    タイミングプーリ
１２    テンションアーム
１６    テンションプーリ
１７    テンションプーリ
１８    放電紙
３０    タイミングベルト
３１    ベルト本体
３２    導電層
４０    コア
４５    フィルムガイド
ＲＭ    ロール体
【図１】
0003625031.tif 000002
【図２】
0003625031.tif 000003
【図３】
0003625031.tif 000004
【図４】
0003625031.tif 000005
【図５】
0003625031.tif 000006
【図６】
0003625031.tif 000007
【図７】
0003625031.tif 000008
【図８】
0003625031.tif 000009
【図９】
0003625031.tif 000010
【図１０】
0003625031.tif 000011
【図１１】
0003625031.tif 000012
【図１２】
0003625031.tif 000013
【図１３】
0003625031.tif 000014
【図１４】
0003625031.tif 000015
【図１５】
0003625031.tif 000016